(57)【要約】      （修正有）【課題】携帯充電器を提供する。【解決手段】太陽電池パネル、前記太陽電池パネルに発生した電気エネルギーを蓄電する充電用電池、前記充電用電池と接続され、電子製品に充電するための雄型又は雌型の電力出力用端子から構成され、太陽電池パネルにより太陽エネルギーを電気エネルギーに変換して電池に蓄電する。貯蓄した電気エネルギーを出力端子から電気製品に供給する。【選択図】図１
0003105775.tif 000002
【実用新案登録請求の範囲】
【請求項１】
次の構成要素からなることを特徴とする携帯充電器。
（ａ）太陽電池パネル。
（ｂ）前記太陽電池パネルに発生した電気エネルギーを蓄電する充電用電池。
（ｃ）前記充電用電池と接続され、電子製品に充電するための雄型又は雌型の電力出力用端子。
【請求項２】
次の構成要素からなることを特徴とする携帯充電器。
（ａ）カバーと蓄電装置とからなること。
（ｂ）前記カバーは、一側面に太陽電池パネルを、反対側面に前記蓄電装置を着脱自在に収容する収容部をそれぞれ有するとともに、前記収容部の一端に前記太陽電池パネルに電気的に接続されたコネクタを有すること。
（ｃ）前記蓄電装置は、これを前記カバーに収容した場合に前記コネクタに電気的に接続されるジャックと、充電用電池を収容する電池室と、凹溝とを有し、前記凹溝には前記電池室に収容された充電用電池と接続され、電子製品に充電するための雄型又は雌型の電力出力用端子をそれぞれ設けてあること。
【請求項３】
次の構成要素からなることを特徴とする携帯充電器。
（ａ）カバーと蓄電装置とを有すること。
（ｂ）前記カバーは、一側面に太陽電池パネルを、反対側面に前記蓄電装置を着脱自在に収容する収容部をそれぞれ有するとともに、前記収容部の一端部に前記太陽電池パネルに電気的に接続されたコネクタを有すること。
（ｃ）前記蓄電装置は、充電用電池を収容する電池室と、第１の凹溝及び第２の凹溝とを有し、前記第１の凹溝には前記蓄電装置を前記カバーに嵌合する際に前記コネクタと電気的に接続され、なおかつコンピュータのＵＳＢコネクタとも接続できるジャックを、前記第２の凹溝には前記電池室に収容された充電用電池と接続され、電子製品に充電するための雄型又は雌型の電力出力用端子をそれぞれ設けてあること。
【請求項４】
電池室には充電用電池が一般の乾電池を交換可能に収容されていることを特徴とする請求項１，２，３のいずれか１項に記載の携帯充電器。
【請求項５】
請求項１，２，３，４のいずれか１項に記載の携帯充電器において、カバー及び蓄電装置の両側に着脱自在に滑動嵌合するスライド溝及びスライドレールが設けられていることを特徴とする携帯充電器。
【請求項６】
請求項１〜５のいずれか１項に記載の携帯充電器において、蓄電装置の出力端子はモービルホンのコネクターであることを特徴とする携帯充電器。
【請求項７】
請求項１〜５のいずれか１項に記載の携帯充電器において、蓄電装置の出力端子は電源出力用コンセントであることを特徴とする携帯充電器。
【考案の詳細な説明】
【技術分野】
【０００１】
本考案は、携帯充電器に関するものであり、携帯される電器装置、例えば携帯電話、ＰＤＡ、デジタル・カメラ又は類似品に用いて好適なものに関する。
【背景技術】
【０００２】
時代の変遷と共に、現代人の殆どは一つ又は二つハイテク製品を携帯している。よく見られるのは携帯電話（モービルホン）である。携帯電話は小型で軽いから、コンパクトかつ便利に使える。また、携帯電話の電池には、今日では多くは大きな電気エネルギーを貯蓄するＬｉ電池が採用されている。Ｌｉ電池を一杯に充電すれば、およそ２〜３日間は連続使用が可能である。携帯電話を購入するときは、標準装備も二個の予備電池を含むので、ユーザは便利に予備電池を一杯に蓄電して、不測の必要時に用意することができる。
【考案の開示】
【考案が解決しようとする課題】
【０００３】
上記のようにすでに予備電池が備えられているが、ユーザが適切なタイミングでの充電を忘れて出張し、出張中は充電器も携帯しないために、電池の蓄電量不足で携帯電話が使用できない事態に陥ることがあった。
【０００４】
既存の充電器には、台湾の第４８６１８２号公告公報に記載された「太陽電池式充電器」が一例として挙げられる。この先行技術の特徴は、開けられるカバーを設け、カバーにはボックスが接続され、カバーとボックスのパネルに太陽電池パネルを設けた点である。その目的は、太陽電池パネルが太陽エネルギーを電気エネルギーに変換して、充電器に貯蓄することである。さらに、異なる型式の挿入ワイヤで、車内のシガレット・イグナイターのジャック又は旅行のホテルの交流電源のコンセントを経由して、充電器の蓄電用電池に蓄電する。変換回路で出力すると、携帯電話を接続して電源を補充できる。
【０００５】
既存の他の充電器には、台湾の第６６２３２２公告公報に記載された「太陽電池式携帯電話充電器」を挙げることができる。これは太陽電池パネル及びこれにマッチした充電台座を含む。太陽電池パネルには、複数の蓄電器を設ける。太陽電池パネルに蓄電用電池と接続する電圧安定回路装置がある。また、太陽電池パネルに前掲の回路装置に接続した電力出力装置を配置する。充電台座の中には回路装置がある。台座の上には充電スロートが配置される。台座の中には充電スロートと接続する回路もある。台座にも、前掲の電力出力装置に合わせて、回路装置に接続するための電源出力装置が設けられている。
【０００６】
上述した構造により、携帯電話は室内の電源又は屋外の太陽エネルギーで、太陽エネルギーの充電台座にエネルギーを補充するが、旅行先エリアの天気が悪ければ、光量不足又は曇天のために、太陽エネルギー充電台座の機能が発揮できないという主たる欠陥が起きる。もっと悪いのは、交流電源コンセントの挿入孔の形態が国ごとに異なるので、多数の国へ行くときは、多数のアダプターを携帯しなければ商用電源への接続が出来ないという不都合がある。
したがって、本考案の課題は、携帯充電器を提供することにある。
【課題を解決するための手段】
【０００７】
上記課題を解決するため、請求項１の携帯充電器は、次の構成要素からなることを特徴としている。すなわち、（ａ）太陽電池パネル、（ｂ）前記太陽電池パネルに発生した電気エネルギーを蓄電する充電用電池、（ｃ）前記充電用電池と接続され、電子製品に充電するための雄型又は雌型の端子。
【０００８】
請求項２の携帯充電器は、次の構成要素からなることを特徴としている。すなわち、（ａ）カバーと蓄電装置とからなること、（ｂ）前記カバーは、一側面に太陽電池パネルを、反対側面に前記蓄電装置を着脱自在に収容する収容部をそれぞれ有するとともに、前記収容部の一端に前記太陽電池パネルに電気的に接続されたコネクタを有すること、（ｃ）前記蓄電装置は、これを前記カバーに収容した場合に前記コネクタに電気的に接続されるジャックと、充電用電池を収容する電池室と、凹溝とを有し、前記凹溝には前記電池室に収容された充電用電池と接続され、電子製品に充電するための雄型又は雌型の端子をそれぞれ設けてあること。
【０００９】
請求項３の携帯充電器は、次の構成要素からなることを特徴としている。すなわち、すなわち、（ａ）カバーと蓄電装置とを有すること、（ｂ）前記カバーは、一側面に太陽電池パネルを、反対側面に前記蓄電装置を着脱自在に収容する収容部をそれぞれ有するとともに、前記収容部の一端部に前記太陽電池パネルに電気的に接続されたコネクタを有すること、（ｃ）前記蓄電装置は、充電用電池を収容する電池室と、第１の凹溝及び第２の凹溝とを有し、前記第１の凹溝には前記蓄電装置を前記カバーに嵌合する際に前記コネクタと電気的に接続され、なおかつコンピュータのＵＳＢコネクタとも接続できるジャックを、前記第２の凹溝には前記電池室に収容された充電用電池と接続され、電子製品に充電するための雄型又は雌型の端子をそれぞれ設けてあること。
【００１０】
電池室には充電用電池と一般の乾電池を交換可能に収容できるようにしても良い。
カバー及び蓄電装置には、その両側に着脱自在に滑動嵌合するスライド溝及びスライドレールが設けられていることが望ましい。
蓄電装置の出力端子はモービルホンのコネクターであってもよい。
蓄電装置の出力端子は電源出力用コンセントであってもよい。
【考案の効果】
【００１１】
請求項１の発明によれば、携帯充電器は、太陽電池パネルと、その太陽電池パネルに発生した電気エネルギーを蓄電する充電用電池と、その充電用電池と接続され、電子製品に充電するための雄型又は雌型の端子を有しているので、外出中に携帯電子製品が電力不足になる前に又は電力不足になった時に、その携帯電子製品をこの携帯充電器に結合して、快速に充電することができる。
【００１２】
請求項２の発明によれば、カバーと蓄電装置とを着脱自在に嵌合して構成されているので、メンテナンスが容易にできる。
【００１３】
請求項３の発明によれば、外出中に携帯電子製品が電力不足になる前に又は電力不足になった時は、この携帯充電器をコンピューターの標準ＵＳＢプラグに接続して蓄電し、快速に充電することができる。
【００１４】
請求項４の発明によれば、充電用電池に代えて乾電池等の一般の電池を用いることができるので、天候が悪く、太陽エネルギー不足の場合でも、一般の電池を用いて充電することもできる。特定電池を使用する携行電子製品でも適用できる。
【考案を実施するための最良の形態】
【００１５】
本考案を実施例に基づいて詳細に説明する。
図１は本考案に係る携帯充電器の斜視図、図２は携帯充電器のカバーを外した状態の斜視図、図３は蓄電装置の分解斜視図、図４ａは携帯充電器の横断面図、図４ｂは縦断面図である。図５は蓄電装置の出力部の構成及び動作を示す説明図、図６は電気エネルギーの出力動作を示す説明図、図７は出力部の斜視図、図８は携帯充電器の電気回路図である。  
【００１６】
図１〜図３に示すように、本考案に係る携帯充電器１は、カバー１０と、そのカバーの中に嵌合される蓄電装置２０とから構成されている。カバー１０は、上面と一端面に開放された収容部１４を有し、フレームをも兼ねている。カバーの背面側に太陽電池パネル１１が設けられている。カバー１０の中には既知の過充電防止回路（図示せず）が設けられ、その過充電防止回路にコネクタ、例えば、カバー１０の内部に取り付けられたコンピューターＵＳＢコネクター１３が接続されている。また、カバーの左右両側の上部に、スライド・レール１２が設けられている。
【００１７】
蓄電装置２０は、上カバー２０１と下カバー２０２を結合して、両側にスライド溝２１を有するボックス状に形成されている（図２参照）。下カバー２０２の中段の適当箇所に、開閉自在の電池カバー２０３を持つ電池室２２が設けてあり、その中に充電用電池３５を入れることができる。電池室２２の傍に、下面外方に貫通するボタン・ホール２３及び表示ランプ・ホール２４が設けられている。下カバー２０２には、電池室２２の一端の外側において凹溝２６が設置され、もう一端の外側において照明ランプの凹溝２５及び二つの出力端子取付用凹溝２７、２８が設けられている。凹溝２７の内部底面には、貫通孔２９が形成され、この貫通孔を経てその上下に配置されたインナーボタン３１とアウターボタン３０が結合されている。凹溝２７の両側に、それぞれレール２７０が形成されている。
【００１８】
検知回路４０はほぼＬ形の回路基板に設置されている。回路基板に、ＵＳＢのジャック４１、ボタン４２、表示ランプ４３及び照明ランプ４４が配置されている。回路基板は電池室２２の傍に配置されて、ＵＳＢジャック４１は凹溝２６の中に嵌合される。ボタン４２は押しブロック４７を介してボタン・ホール２３の中に設置される。表示ランプ４３、照明ランプ４４はそれぞれ表示ランプホール２４、照明ランプ凹溝２５の中に設置される。出力端子取付用凹溝２７、２８には、それぞれ雄型の端子である出力ヘッド４５、雌型のの端子である挿入孔４６を入れる。出力ヘッド４５の底部両側に、真中にスライド溝を持つブロック４５１が設けてある。そして、出力ヘッド４５を凹溝２７に入れるときに、両側のブロック４５１のスライド溝に凹溝２７のレール２７０が嵌合する。さらに、対向して配置される上カバー２０１と下カバー２０２の結合により、蓄電装置２０のアセンブリが出来上がる。蓄電装置２０の両側のスライド溝２１（図２参照）とカバー１０両側のスライドレール１２の相互嵌合により、蓄電装置２０とカバー１０が滑動着脱自在に結合されている。
【００１９】
図４ａ、図４ｂに示すように、本考案に係る携帯充電器は、蓄電装置２０のＵＳＢジャック４１を持つ一端側をカバー１０の内へ向かって移動し、スライドレール１２をスライド溝２１に嵌合すると、蓄電装置２０のＵＳＢジャック４１とカバー１０のＵＳＢコネクター１３が一体的に連結される。そして、太陽電池パネル１１を上へ向けて太陽エネルギーを吸収させ、内部の接続回路により太陽エネルギーを電気エネルギーに変換させ、充電用電池３５に蓄電させる。
【００２０】
別の使用方法を説明すると、ＵＳＢジャック４１にはＵＳＢコネクター１３を接続できるほかに、パーソナルコンピュータのＵＳＢコードをも接続可能とされ、一本のＵＳＢダブルヘッド接続ワイヤでＵＳＢジャック４１の接続を経て、パーソナルコンピュータのＵＳＢジャックから電源を携帯充電器１まで接続させ、供給される電気エネルギーを充電用電池３５に蓄電させることもできる。
【００２１】
好ましい実施の形態においては、図８に示すように、複数の抵抗、コンデンサー、トランジスター、二つのゼナーダイオード、二つ発光ダイオード、一つのＩＣ、一つのインダクター、一つのＭＯＳＦＥＴトランジスターから検知回路４０が構成されている。蓄電装置２０の充電用電池３５の電力がＩＣ内部の設定値より小さいときは、表示ランプ４３が通電したあとで点灯するので、電力不足を表し、ユーザに再充電の必要性を知らせる。表示ランプ４３が点いてなくても、押しブロックを４７を押して回路を通電させると、検知回路４０は充電用電池３５の電力量を検知することができる。電力が充分の場合は、押しブロック４７を押すと照明ランプ４４が点くので、懐中電灯として使える。例えば、キーホールを照明することができる。押しブロックを４７を押して回路を通電させた時に、表示ランプ４３（赤い色）がつく場合は、電池３５の容量不足を表すので、充電動作が必要である。それで、充電用電池３５の予備電量の状況がよく分かる。
【００２２】
図５、６に示すように、蓄電装置２０の充電用電池３５が十分な電力を有する場合は、出力端子を経て電力を出力させる。本考案の理想的な実施例においては、出力端子はモービルホーンのコネクター４５である。モービルホーンのコネクター４５には図７に示すように、横方向の孔４５０がある。この横方向の孔４５０を介して、インナーボタン３１の凸体３２の位置決めをする。アウターボタン３０を回すと、インナーボタン３１も同期して回転される。そのとき、インナーボタン３１の凸体３２は円周運動を行う。そして、横方向の孔４５０を連動させ、携帯電話コネクター４５のスライド溝を有するブロック４５１がレール２７０に沿って往復直線運動を行う。それで、アウターボタン３０は方向性がなくて、左右方向に沿って回転できる。回転しながら出て来る携帯電話のコネクター４５と携帯電話６０を結合するので、充電用電池３５に蓄電された電気エネルギーを携帯電話に補充する。長い間、屋外で使用しても、室内で充電できない携帯電話に電力を補充させることができる。つまり、室内で充電できなくても、使用できないはずがない。同様に、出力端子のもう一つの挿入ホール４６には、デジタルカメラ、ＰＤＡなど製品のプラグを結合して、電力を補充することができる。
【００２３】
天気が悪くて、太陽電池パネル１１が充分の太陽エネルギーを吸収することが出来ない場合は、蓄電装置２０の中の充電用電池３５を市販の電池に取り換えてもよい。電力一杯の一般電池で、特定電池を有する様々な電子製品への電力補充が可能である。
【００２４】
以上に説明したように、本考案は次のような実用上の利点を有する。すなわち、太陽エネルギーを充分に利用するので、長い間、屋外で活動している場合にも、身に付けている携帯式電子製品への電力補充ができるから、従来と異なり、屋外で充電できないために電子製品が使用できなくて、仕事に悪い影響を及ぼすということがない。
【００２５】
屋外の天気が悪い場合、つまり、太陽エネルギーが弱く不足のときは、電力一杯の市販電池を用いて、換言すると、室内の電源がなくても、特定電池を有する電子製品に電力を補充することができる。
【００２６】
旅行のときに、特定の室内では、もう一本のＵＳＢダブルプラグワイヤで、パーソナルコンピュータのＵＳＢジャックから電源を充電器１に接続することにより、充電用電池３５に蓄電することができる。内部検知回路の検知により、充電用電池の電力状況がはっきり分かる。つまり、蓄電装置が補充電力の電源として使用可能かどうかがよく分かる。
【図面の簡単な説明】
【００２７】
【図１】本考案に係る携帯充電器の斜視図
【図２】携帯充電器のカバーを外した状態の斜視図
【図３】蓄電装置の分解斜視図
【図４ａ】携帯充電器の横断面図
【図４ｂ】同じく縦断面図
【図５】蓄電装置の出力部の構成及び動作を示す説明図
【図６】電気エネルギーの出力動作を示す説明図
【図７】出力部の斜視図
【図８】携帯充電器の電気回路図である。
【符号の説明】
【００２８】
１      携帯充電器
１０    カバー
２０    蓄電装置
１４    収容部の開口
１１    太陽電池パネル
１３    ＵＳＢコネクター
１２    スライドレール
２０１  上カバー
２０２  下カバー
２１    スライド溝
２０３  電池カバー
２２    電池室
３５    充電電池
２３    ボタンホール
２４    表示ランプホール
２６    凹溝（第１の凹溝）
２５    照明ランプ凹溝  
２７、２８      出力端子取付用凹溝（第２の凹溝）
２９    貫通孔    
３１    インナーボタン
３０    アウターボタン
４０    検知回路
４１    ＵＳＢジャック
４２    ボタン
４２    表示ランプ
４４    照明ランプ
４７    押しブロック
４５    出力ヘッド
４６    挿入孔
４５１  ブロック
２７０  レール
４５０  横方向孔  
３２    凸体
６０    携帯電話
【図１】
0003105775.tif 000003
【図２】
0003105775.tif 000004
【図３】
0003105775.tif 000005
【図４ａ】
0003105775.tif 000006
【図４ｂ】
0003105775.tif 000007
【図５】
0003105775.tif 000008
【図６】
0003105775.tif 000009
【図７】
0003105775.tif 000010
【図８】
0003105775.tif 000011